(57)【要約】      （修正有）【課題】産業用の動力を供給する従来の内燃機関や発電方法に変えて、梃子の作用を用いて動力を供給する。【解決手段】第一工程で力は電動機７の始動で、部品５Ａを通じ時計回りで、切り欠き７から梃子２Ａの点ＡＡに伝わり、第二工程で伝わった力は支点ＢＡから点ＣＡに至る。ここで力は長さ（ＢＡ−ＣＡ）分の（ＢＡ−ＡＡ）の割合で増加されて、次の梃子３Ａの点ＤＡに伝わる。以下伝わった力は、この様な梃子の作用の連鎖で増加されながら部品５Ｂの溝６を通じて外部へ取り出され利用に供される。又これらの各部を調整する機能で各部分の機能点検、指示等を行い恒常的に動力を供給し続ける。【選択図】図５
2010236531.tif 000002
【特許請求の範囲】
【請求項１】
盤上に任意の数の梃子を、作用した力が順次に次の梃子に伝わるように配置して、加えた力を増加又は減少させる方法。
【請求項２】
回転する方法で、任意の数の梃子を作用した力が順次に次の梃子に伝わるように配置した梃子に、力を加えて増加又は減少させ、回転する方法で力を取り出し、これら一連の方法を恒常的に維持継続させるための諸機器を伴う管理方法からなる、力を増加又は減少させる方法において、回転する方法で力を加える第一工程と、加えた力を増加又は減少させる第二工程と、力を回転する方法で取り出す第三工程と、これら一連の工程の恒常的な稼動の維持、継続を管理する第四工程とを有することを特徴とする請求項１記載の力を増加又は減少させる方法。
【発明の詳細な説明】
【技術分野】
【０００１】  力を増加又は減少させる方法に関するものである。
【背景技術】
【０００２】  一般に産業用の動力を得る方法としては、内燃機関や風力、水力による発電又は火力、原子力による発電が利用されている。
【発明の開示】
【発明が解決しようとする課題】
【０００３】  上記記載の動力を得る方法は近年に至り益々増大の方向にあり、自然物の消費による資源の枯渇や高騰を来す一方で有害な無機物や温熱の発生、制御不可能に至る危険性を内包する原子力など、自然界の安定を損ね社会生活にも甚大な悪影響を及ぼして、回復困難な諸問題を提起するに至った。
【諸題を解決するための手段】
【０００４】  電動機から回転する方法で、力を増加又は減少させる方法に力を加え、増加又は減少させた力を回転する方法で取り出し、調整機能を通じて恒常的に動力源として供給することにより課題を解決した。
【発明の効果】
【０００５】  本方法は梃子の作用を利用するものであり、自然物の消費も少なく、資源の枯渇や無機物、温熱の発生もなく静音であり、大規模な施設や設備を必要とせず、必要に応じた規模で移動型定置型共に動力を恒常的に供給するものである。
【発明を実施するための最良の形態】
【０００６】  以下実施形態を請求項順に、先に構成を、後に作用を、図面、図表に基いて説明する。
請求項１  構成  ［図１］【０００７】    基盤１に任意の数の梃子（２）（３）（４）を、加えた力が梃子の作用によって増加又は減少されて順次に次の梃子に伝わるように配置し、各梃子の計算された各支点（Ｂ）（Ｅ）（Ｈ）を回転自在に固定する。
請求項１  作用  増加【０００８】    増加すべき力を梃子（２）の点（Ａ）に加えれば、力は梃子の作用によって長さ（Ｂ）（Ｃ）分の（Ｂ）（Ａ）の割合で増加されて点（Ｃ）に達し、梃子（３）の点（Ｄ）に増加すべき力となって伝わる。力は長さ（Ｅ）（Ｆ）分の（Ｅ）（Ｄ）の割合で増加されて点（Ｆ）に達し、梃子（４）の点（Ｇ）に増加すべき力となって伝わり、力は長さ（Ｈ）（Ｉ）分の（Ｈ）（Ｇ）の割合で増加されて点（Ｉ）に増加された力となって達する。
請求項１  作用  減少【０００９】    減少すべき力を梃子（４）の点（１）に加えれば、力は梃子の作用によって長さ（Ｈ）（Ｇ）分の（Ｈ）（Ｉ）の割合で減少されて梃子（３）の点（Ｆ）に伝える、力は長さ（Ｅ）（Ｄ）分の（Ｅ）（Ｆ）の割合で減少されて点（Ａ）に達し減少された力となる。
請求項２  構成  第一工程  ［図２］  平面図  Ａ−Ａ線断面図【００１０】    ドーナッツ状の部品（５Ａ）の上部と下部に、ベアリング（１２）を収容する突起部（１４）を用意し、又外周の上段にＶベルト用の溝と、中断に梃子（２Ａ）の一端（ＡＡ）を抱え込む形の切り欠き部（７）と、内周の下段に円盤（１Ａ）の上下の動きを制する突起（１３）を設ける。
請求項２  構成  第二工程  ［図３］  平面図  １【００１１】    盤（１Ａ）に任意の数の梃子（２Ａ）（３Ａ）（４Ａ）を、加えた力が梃子の作用によって増加又は減少されて、順次に次の梃子に伝わるように配置し、各梃子の計算された支点（ＢＡ）（ＥＡ）（ＨＡ）を回転自在に固定し、又梃子（４Ａ）の点（ＩＡ）に力を伝える部品（８）を回転自在に固定する。又盤の中央に回転を支持するシャフト（１５）を通す穴を用意する【００１２】    盤（１Ｂ）に任意の数の梃子（２Ｂ）（３Ｂ）（４Ｂ）を、加えた力が梃子の作用によって増加又は減少されて、順次に次の梃子に伝わるように配置し、各梃子の計算された支点（ＢＢ）（ＥＢ）（ＨＢ）を回転自在に固定し、部品（８）を梃子（２Ｂ）の点（ＡＢ）に貫通させた。又盤の中央に回転を支持するシャフト（１５）を通す穴を用意する
請求項２  構成  第三工程【００１３】    部品（５Ｂ）の外周下段にＶベルト用の溝（６Ａ）を、梃子（４Ｂ）の点（ＩＢ）の場に切り欠き部（７Ａ）を用意する。
架台【００１４】    上記第一工程、第二工程、第三工程を、機能するように組合せるために、架台（９）を用意し、中央に盤の回転を支持するシャフトを建て込み、架台の直上に輪形ベアリング（１２）を、次に部品（５Ｂ）を、次に梃子を伴った盤（１Ｂ）をのせ、次に部品（５Ｂ）の上に輪形ベアリングをのせる。輪形ベアリング（１２）の上に部品（５Ａ）をのせ、次に梃子を伴った円盤（１Ａ）をのせる。又架台の周囲に支柱（１０）を複数本設けて、部品（５Ａ）、（５Ｂ）の回転を支持する外れ止め（１５）を取り付け、（５Ａ）の上段に動力取り入れ用の輪の形状の取り付け台（１１）を、（５Ｂ）の下段には動力取り出し用に（１１）を取り付ける。架台に設けた支柱（１０）の上部と交差する点もシャフト（１５）の先端と共に固定する。
請求項２  構成  第三工程  ［図表］【００１５】
2010236531.tif 000003
請求項２  作用  増加  全図面及び図表【００１６】    調整機能を有する装置（１）からの始動の指示で、蓄電池（６）から発せられた電力は、電動機（７）に伝わり始動しその力はＶベルトを通じて、部品（５Ａ）に伝わり、時計回りの方向に回転させて、切り欠き部（７）に抱え込まれた形の梃子（２Ａ）の点（ＡＡ）に加わった力は梃子の作用によって長さ（ＢＡ−ＣＡ）分の（ＢＡ−ＡＡ）の割合で増加されて点（ＣＡ）に達し、梃子（３Ａ）の点（ＤＡ）に増加すべき力となって伝わる。力は長さ（ＥＡ−ＦＡ）分の（ＥＡ−ＥＤ）の割合で増加されて点（ＦＡ）に達して梃子（４Ａ）の点（ＧＡ）に増加すべき力となって伝わり、力は長さ（ＨＡ−ＩＡ）分の（ＨＡ−ＧＡ）の割合で増加されて点（１Ａ）に増加された力となって達し、力を伝える部品（８）によって下部の円盤（１Ｂ）上に配置された梃子（２Ｂ）の点（ＡＢ）に増加すべ力となって加えられる。点（ＡＢ）に加えられた力は、上記の梃子の作用と全く同様の作用効果を経て梃子（４Ｂ）の点（ＩＢ）に至り増加された力となって部品（５Ｂ）の切り欠き部（７）を通じて部品（５Ｂ）を部品（５Ａ）の回転方向と同様の方向へ回転させ、Ｖベルト用溝（６）を通じて輪形の取り付け台（１１）に設置した取り出し方法によって取り出され、図表の（１）の指示を受けて利用に供される。
請求項２  作用  減少  全図面及び図表【００１７】    減少すべき力を部品（５Ｂ）のベルト用溝（６）を通じて点（ＩＢ）に加えれば、梃子の作用により梃子（２Ａ）の点（ＡＡ）に達し部品（５Ａ）のＶベルトを通じて減少された力となって取り出される。即ち本方法稼働中に力を加えている電動機の回転を制すれば力は減少される。
請求項２  作用  第四工程  全図面及び図表【００１８】    本方法の恒常的な稼動を維持するために、調整機能を有する装置（１）を通じて力を増加又は減少させる方法（２）によって取り出された増加された力を動力として外部へ供給し、［００１９］記載の方法によって再度増加すべき力として利用したり（４）又力の一部を発電機（５）に伝えて発電をなし直接電動機を稼動させる。一方発電された電力を蓄電池へ充電し常時蓄電池の能力の維持を計る。蓄電池は電動の始動の他に、各部の機能状態の検出や保持、警告、指示等の働きをなす為の（１）の機能保持のために必要である。【００１９】    前以て部品（５Ａ）の外周の中段と部品（５Ｂ）の外周の中段に歯車用の歯形を刻んで置き、支柱に接触しない外周の任意の場に、部品（５Ｂ）の（１１）から部品（５Ａ）の（１１）へ、シャフトの上端と下端に歯車を設けた力を伝える部品を、脱着可能な方法で固定し、又［００１５］記載の（１）からの指示による接断を実施可能な構成とする。
本特許請求の実施形態【００２０】  本特許の実施形態は、無気体中、気体中、液体中において、定置型、移動型、規模の大小等多様な環境、条件に、又梃子の形状や組合せの方法は多岐に渡るが、四種の工程を特徴とする本方法を基に実施され、それぞれの場において目的に合致する。
【図面の簡単な説明】
【００２１】
【図１】請求項１  平面図
【図２】請求項２  第一工程  平面図  Ａ−Ａ線断面図
【図３】請求項２  第二工程  平面図  （１Ａ）（１Ｂ）
【図４】架台［００１４］  平面図
【図５】［図４］の  （Ａ−Ａ）線断面図（Ｂ−Ｂ）線断面図
【符号の説明】
【００２２】１、１Ａ、１Ｂ、                盤            ７    切り欠き
２、２Ａ、２Ｂ、                梃子          ８    力を伝える部品
３、３Ａ、３Ｂ、                              ９    架台
４、４Ａ、４Ｂ、                              １０  架台の支柱
Ｂ、ＢＡ、ＢＢ、                支点          １１  輪形取付台
Ｅ、ＥＡ、ＥＢ、                              １２  輪形のベアリング
Ｈ、ＨＡ、ＨＢ、                              １３  盤の押え
５Ａ、５Ｂ                      部品          １４  突起
６                              Ｖベルト用溝  １５  シャフト
【図１】
2010236531.tif 000004
【図２】
2010236531.tif 000005
【図３】
2010236531.tif 000006
【図４】
2010236531.tif 000007
【図５】
2010236531.tif 000008